(57)【要約】【課題】  全体軽量で組立性に優れ、分解時において場所をとらず運搬性に優れた愛玩動物用のハードルを提供することを目的とする。【解決手段】  ハードル１は、載置面２に載置される一対の支持部材３と、各支持部材３に対しその左右の各端部を支持させてなる上下３枚の被飛越し部材４Ａ、４Ｂ、４Ｃにより形成され、支持部材３並びに被飛越し部材４Ａ、４Ｂ、４Ｃはいずれも段ボール材などの全体平板状の紙製の面材を折り込んで形成され、組立てられる。【選択図】        図１
2005270027.tif 000002
【特許請求の範囲】
【請求項１】
全体平板状の紙製の面材からなり、面材面部の左右各端部に係合部を備えた被飛越し部材と、
全体平板状の紙製の面材からなり、上記被飛越し部材の面材面部の左右位置にそれぞれ立設可能とされ、立設状態において上記被飛越し部材との対向位置に被飛越し部材の係合部と係合可能な被係合部を備えた支持部材と、
からなる愛玩動物用のハードル。
【請求項２】
支持部材は全体平板状の紙製の面材を折り込んで載置面上で立体形状をなす状態で立設可能とされ、該立設状態で被飛越し部材の左右の各端部に対向配置され、被飛越し部材の面材面部と交差する状態で載置面より立上がる対向面部を備え、該対向面部に被飛越し部材の端部を上方より挿入可能とし、挿入された被飛越し部材の端部下方に備えられる係合部を掛着可能とする上下方向に切り欠かれる溝状の被係合部を備えることとした請求項１に記載の愛玩動物用のハードル。
【請求項３】
上下方向に切り欠かれる溝状の被係合部にその端部を挿入する被飛越し部材は、上下に積載される横長長方形状の複数枚の紙製ボードとされ、最下段の紙製ボードの左右各端部に、溝状の被係合部の最下方に掛着可能な切込部からなる係合部を備えることとし、最下段の紙製ボードの上方に積載され、溝状の被係合部にその端部を挿入される紙製ボードの積載数を選択することにより、被飛越し部材の高さ調整を可能とした請求項２に記載の愛玩動物用のハードル。
【請求項４】
上下方向に切り欠かれる溝状の被係合部にその端部を挿入する被飛越し部材は、高さが異なる長方形状の一枚の紙製ボードとして、予め複数用意され、各紙製ボードの左右の各端部には、溝状の被係合部の最下方に掛着可能な切込部からなる係合部を備えることとし、こうして形成される紙製ボードを選択的にその係合部を支持部材の被係合部に係合させ、支持部材に対して支持させることで、被飛越し部材の高さ調整を可能とした請求項２に記載の愛玩動物用のハードル。
【請求項５】
選択的にその係合部を支持部材の被係合部に係合させ、支持部材に対して支持させる被飛起支部材には、愛玩動物を通過させる孔部をその面材面部に備えることとした請求項４に記載の愛玩動物用のハードル。
【請求項６】
上下方向に切り欠かれる溝状の被係合部にその端部を挿入する被飛越し部材は、上下に離隔配置される横長長方形状の紙製ボードとされ、下方に配置される紙製ボードは左右各端部に、溝状の被係合部の最下方に掛着可能な切込部からなる係合部を備え、支持部材の溝状の被係合部内で固定される固定ボードとされ、一方上方に配置される紙製ボードは左右の各端部を溝状の被係合部に位置決めされ、固定ボードに対して高さ調整可能なリンク部材で連結される可動ボードとされ、固定ボードに対する可動ボードの高さ調整により被飛越し部材の高さ調整を可能とした請求項２に記載の愛玩動物用のハードル。
【請求項７】
支持部材は全体平板状の紙製の面材を折り込んで載置面上で立体形状をなす状態で立設可能とされ、該立設状態で被飛越し部材の左右の各端部に対向配置され、被飛越し部材の面材面部と交差する状態で載置面より立上がる対向面部を備え、該対向面部に被飛越し部材の端部に備えられる鉤状の係合部を掛着可能とし、対向面部の上下方向には該鉤状の係合部と係合可能な被係合部としての係合孔が所定間隔をもって複数穿設され、これら上下複数の係合孔に対して被飛越し部材端部の鉤状の係合部を選択的に掛着させることにより、支持部材に対する被飛越し部材の高さ調整を可能とした請求項１に記載の愛玩動物用のハードル。
【請求項８】
左右の各端部に鉤状の係合部を備える被飛越し部材は、横長長方形状の紙製ボードとされ、該紙製ボードの面材面部には、左右の各端部を支持部材の対向面部の下方側に軸支される紙製軸に巻取り可能とされ、紙材または布製の幕材の引き出し端が取着される請求項７に記載の愛玩動物用のハードル。
【請求項９】
支持部材は全体平板状の紙製の面材を山形に折り込んで載置面上で逆Ｖ字形状となるよう被飛越し部材の左右位置にそれぞれ立設される一対のものとされ、逆Ｖ字形状で載置面上を立設される各支持部材は被飛越し部材端部と対向する対向面部を備えた一側と、被飛越し部材に対する外側に配置される他側の、各側底部同士の幅を一定間隔に保持し、支持部材を載置面上で立設可能とする紙製の脚体を備えることとしてなる請求項２ないし８のいずれかに記載の愛玩動物用のハードル。
【請求項１０】
支持部材は全体平板状の紙製の面材を折り込んで載置面上で、被飛越し部材の左右位置にそれぞれ一対立設され、被飛越し部材端部と対向する対向面部を備えるものとする全体函形のものである請求項２ないし８のいずれかに記載の愛玩動物用のハードル。
【請求項１１】
被飛越し部材を構成する紙製の面材は、平板状の紙材より型抜きして形成されるものである請求項１ないし１０のいずれかに記載の愛玩動物用のハードル。
【請求項１２】
被飛越し部材を構成する紙製の面材は、平板状の紙材に描象され、切取り線に沿って型抜き可能とされる請求項１１に記載の愛玩動物用のハードル。
【請求項１３】
支持部材を構成する紙製の面材は、平板状の紙材より型抜きして形成されるものである請求項１ないし１０のいずれかに記載の愛玩動物用のハードル。
【請求項１４】
支持部材を構成する紙製の面材は、平板状の紙材に描象され、切取り線に沿って型抜き可能とされる請求項１３に記載の愛玩動物用のハードル。
【発明の詳細な説明】
【技術分野】
【０００１】
本発明は犬その他の愛玩動物を訓練させたり、運動させたり、遊ばせるために使用にするのに好適な愛玩動物用のハードルに関する。
【背景技術】
【０００２】
犬その他の愛玩動物を遊ばせたり、訓練させるための遊具に関しては従来より様々なものが存在し、例えばハードル、歩道橋、トンネルなどの様々な遊具がペットショップ等で販売され、愛犬家等において使用されている。
【０００３】
こうした遊具を用い、犬を訓練する競技として最近アジリティと呼ばれるものが盛んに実施され、世界大会まで開催されるに至っている。アジリティは所定の規格外径を備えたハードル、スラローム、固形トンネルなどの障害物を、愛犬が飼主の指示に従って順次クリアしていき、各障害物のクリア状況とクリアタイムを参加犬同士で競わせるドッグスポーツとされている。アジリティは愛犬と飼主間の信頼関係を高め、また愛犬の俊敏性、健康増進を高めることができるため、その愛好者が年々増大する傾向にある。
【０００４】
一方でアジリティ競技に愛犬を参加させるためには、日頃、飼主が参加する愛犬をこれら障害物を用いて訓練しなければならず、最近ペットショップ等においてはこれらの障害物を販売したり、また一部愛犬家の間では日用大工で障害物を規格に沿って製作するなどの方法がとられている。
【非特許文献１】「アジリティーを楽しもう」http://www.fsinet.or.jp/kunren/agility.html
【非特許文献２】http://www.petwish.jp/m_mall_detail.php?ps_goid=668&ps_goid=668
【発明の開示】
【発明が解決しようとする課題】
【０００５】
しかし、これら非特許文献１に示すアジリティの障害物（通常１０ヶ）を例えば公園などに運び、愛犬の訓練を実施する場合において、各障害物は木製あるいはプラスチック製のため、嵩ばり、高重量であるため、例えばトランクや荷台に入れて運ぶ場合、不効率で作業性が悪いものとされていた。
【０００６】
またペットショップ等においてこれらの障害物を販売する場合においても、かなりの売場スペース、保管スペースをとり、極めて不効率とされている。
【０００７】
例えば非特許文献２に示されるものは、実際アジリティ競技に使用され、販売されているハードルである。このハードルは地面や床面などの載置面に載置して使用され、載置面上に立設される金属枠からなる支持部材と、支持部材の枠部に装着されるプラスチックボードからなる被飛越し部材とを備えてなる。
【０００８】
こうしたアジリティ競技に使用されるハードルは、非特許文献１に示されるように大型犬の競技用で幅１２０ｃｍ、高さ５５〜６５ｃｍ、小型犬の競技用で幅１２０ｃｍ、高さ３０〜４０ｃｍと決められており、かなりの大きさとされている。
【０００９】
上記非特許文献２に示されるハードルも金属製の支持部材とプラスチックボードからなり、嵩ばり、かなりの重さを有するものとされ、持ち運びに不便で、取扱性が悪いものとされていた。
【００１０】
そこで本発明は、上記従来の不具合に着目してなされたものであり、全体軽量で組立性に優れ、分解時において場所をとらず運搬性に優れた愛玩動物用のハードルを提供することを目的としている。
【課題を解決するための手段】
【００１１】
上記目的を達成するため本発明は、全体平板状の紙製の面材からなり、面材面部の左右各端部に係合部を備えた被飛越し部材と、全体平板状の紙製の面材からなり、上記被飛越し部材の面材面部の左右位置にそれぞれ立設可能とされ、立設状態において上記被飛越し部材との対向位置に被飛越し部材の係合部と係合可能な被係合部を備えた支持部材と、からなる愛玩動物用のハードルとしている。
【００１２】
また請求項２に係る発明は、支持部材は全体平板状の紙製の面材を折り込んで載置面上で立体形状をなす状態で立設可能とされ、該立設状態で被飛越し部材の左右の各端部に対向配置され、被飛越し部材の面材面部と交差する状態で載置面より立上がる対向面部を備え、該対向面部に被飛越し部材の端部を上方より挿入可能とし、挿入された被飛越し部材の端部下方に備えられる係合部を掛着可能とする上下方向に切り欠かれる溝状の被係合部を備えることとした請求項１に記載の愛玩動物用のハードルとしている。これにより、より組立性・分解性に優れたハードルを提供することが可能となる。
【００１３】
また請求項３に係る発明は、上下方向に切り欠かれる溝状の被係合部にその端部を挿入する被飛越し部材は、上下に積載される横長長方形状の複数枚の紙製ボードとされ、最下段の紙製ボードの左右各端部に、溝状の被係合部の最下方に掛着可能な切込部からなる係合部を備えることとし、最下段の紙製ボードの上方に積載され、溝状の被係合部にその端部を挿入される紙製ボードの積載数を選択することにより、被飛越し部材の高さ調整を可能とした請求項２に記載の愛玩動物用のハードルとしている。これにより、より組立性・分解性に優れたハードルを提供することが可能となる。さらに被飛越し部材の高さ調整も可能となる。
【００１４】
また請求項４に係る発明は、上下方向に切り欠かれる溝状の被係合部にその端部を挿入する被飛越し部材は、高さが異なる長方形状の一枚の紙製ボードとして、予め複数用意され、各紙製ボードの左右の各端部には、溝状の被係合部の最下方に掛着可能な切込部からなる係合部を備えることとし、こうして形成される紙製ボードを選択的にその係合部を支持部材の被係合部に係合させ、支持部材に対して支持させることで、被飛越し部材の高さ調整を可能とした請求項２に記載の愛玩動物用のハードルとしている。これにより、より組立性・分解性に優れたハードルを提供することが可能となる。さらに被飛越し部材の高さ調整も可能となる。
【００１５】
また請求項５に係る発明は、選択的にその係合部を支持部材の被係合部に係合させ、支持部材に対して支持させる被飛起支部材には、愛玩動物を通過させる孔部をその面材面部に備えることとした請求項４に記載の愛玩動物用のハードルとしている。これにより、より組立性・分解性に優れたハードルを提供することが可能となる。さらに被飛越し部材の高さ調整も可能となる。加えて、孔部の存在によりハードルの用途性を高めることも可能になる。
【００１６】
また請求項６に係る発明は、上下方向に切り欠かれる溝状の被係合部にその端部を挿入する被飛越し部材は、上下に離隔配置される横長長方形状の紙製ボードとされ、下方に配置される紙製ボードは左右各端部に、溝状の被係合部の最下方に掛着可能な切込部からなる係合部を備え、支持部材の溝状の被係合部内で固定される固定ボードとされ、一方上方に配置される紙製ボードは左右の各端部を溝状の被係合部に位置決めされ、固定ボードに対して高さ調整可能なリンク部材で連結される可動ボードとされ、固定ボードに対する可動ボードの高さ調整により被飛越し部材の高さ調整を可能とした請求項２に記載の愛玩動物用のハードルとしている。これにより、より組立性・分解性に優れたハードルを提供することが可能となる。さらに被飛越し部材の高さ調整も可能となる。
【００１７】
また請求項７に係る発明は、支持部材は全体平板状の紙製の面材を折り込んで載置面上で立体形状をなす状態で立設可能とされ、該立設状態で被飛越し部材の左右の各端部に対向配置され、被飛越し部材の面材面部と交差する状態で載置面より立上がる対向面部を備え、該対向面部に被飛越し部材の端部に備えられる鉤状の係合部を掛着可能とし、対向面部の上下方向には該鉤状の係合部と係合可能な被係合部としての係合孔が所定間隔をもって複数穿設され、これら上下複数の係合孔に対して被飛越し部材端部の鉤状の係合部を選択的に掛着させることにより、支持部材に対する被飛越し部材の高さ調整を可能とした請求項１に記載の愛玩動物用のハードルとしている。これにより、より組立性・分解性に優れたハードルを提供することが可能となる。さらに被飛越し部材の高さ調整も可能となる。
【００１８】
また請求項８に係る発明は、左右の各端部に鉤状の係合部を備える被飛越し部材は、横長長方形状の紙製ボードとされ、該紙製ボードの面材面部には、左右の各端部を支持部材の対向面部の下方側に軸支される紙製軸に巻取り可能とされ、紙材または布製の幕材の引き出し端が取着される請求項７に記載の愛玩動物用のハードルとしている。これにより、より組立性・分解性に優れたハードルを提供することが可能となる。さらに被飛越し部材の高さ調整も可能となる。
【００１９】
また請求項９に係る発明は、支持部材は全体平板状の紙製の面材を山形に折り込んで載置面上で逆Ｖ字形状となるよう被飛越し部材の左右位置にそれぞれ立設される一対のものとされ、逆Ｖ字形状で載置面上を立設される各支持部材は被飛越し部材端部と対向する対向面部を備えた一側と、被飛越し部材に対する外側に配置される他側の、各側底部同士の幅を一定間隔に保持し、支持部材を載置面上で立設可能とする紙製の脚体を備えることとしてなる請求項２ないし８のいずれかに記載の愛玩動物用のハードルとしている。これにより、より組立性・分解性に優れたハードルを提供することが可能となる。また、支持部材が載置面に対して安定的に支持されることとなる。
【００２０】
また請求項１０に係る発明は、支持部材は全体平板状の紙製の面材を折り込んで載置面上で、被飛越し部材の左右位置にそれぞれ一対立設され、被飛越し部材端部と対向する対向面部を備えるものとする全体函形のものである請求項２ないし８のいずれかに記載の愛玩動物用のハードルとしている。これにより、より組立性・分解性に優れたハードルを提供することが可能となる。また、支持部材が載置面に対して安定的に支持されることとなる。
【００２１】
また請求項１１に係る発明は、被飛越し部材を構成する紙製の面材は、平板状の紙材より型抜きして形成されるものである請求項１ないし１０のいずれかに記載の愛玩動物用のハードルとしている。これにより、組立前の状態において扁平で場所をとらないハードルの構成部材を提供することが可能となる。
【００２２】
また請求項１２に係る発明は、被飛越し部材を構成する紙製の面材は、平板状の紙材に描象され、切取り線に沿って型抜き可能とされる請求項１１に記載の愛玩動物用のハードルとしている。これにより、組立前の状態において扁平で場所をとらないハードルの構成部材を提供することが可能となる。
【００２３】
また請求項１３に係る発明は、支持部材を構成する紙製の面材は、平板状の紙材より型抜きして形成されるものである請求項１ないし１０のいずれかに記載の愛玩動物用のハードルとしている。これにより、組立前の状態において扁平で場所をとらないハードルの構成部材を提供することが可能となる。
【００２４】
また請求項１４に係る発明は、支持部材を構成する紙製の面材は、平板状の紙材に描象され、切取り線に沿って型抜き可能とされる請求項１３に記載の愛玩動物用のハードルとしている。これにより、組立前の状態において扁平で場所をとらないハードルの構成部材を提供することが可能となる。
【発明の効果】
【００２５】
以上の内容から本発明は、全体軽量で組立性に優れ、分解時において場所をとらず運搬性に優れた愛玩動物用のハードルを提供することができるという効果を有する。
【発明を実施するための最良の形態】
【００２６】
以下図１ないし７に基づき、本発明を実施するための最良の形態を説明する。図１に示す実施形態に係るハードル１は、ドッグスポーツとして知られるアジリティ競技に用いられるのに好適とされ、図２ないし図４に示されるように床面、地面からなる載置面２上に、立設状態で載置して使用される。  
【００２７】
ハードル１は、載置面２に載置される一対の支持部材３と、各支持部材３に対しその左右の各端部を支持させてなる上下３枚の被飛越し部材４Ａ、４Ｂ、４Ｃにより形成され、支持部材３並びに被飛越し部材４Ａ、４Ｂ、４Ｃはいずれも段ボール材などの全体平板状の紙製の面材を折り込んで形成され、組立てられる。こうして図１に示すようにして載置面２上に組立てられるハードル１は、被飛越し部材４Ａ、４Ｂ、４Ｃの部分が、アジリティ競技での犬の飛越し部分とし、参加犬における障害物として載置面２に載置されて使用される。
【００２８】
ハードル１のうち、各支持部材３は予め図７に示されるように段ボール材などの平板状の紙製面材５に展開状態で描象され、これを型抜きして組立形成される。図７において、各支持部材３はその輪郭外形部分に予め切り取り線６としてのミシン目が穿設され、紙製面材５より型抜き可能とされる。
【００２９】
紙製面材５より型抜きされる各支持部材３の構成材は、先ず頂線部７の部分を山折りにされる（図７参照）。各支持部材３の構成材は、頂線部７を基準に蝶形に拡開される各片部を備え、予め犬の足跡模様が穿設される片部側には外側面部３Ａが、後述するように被飛越し部材４Ａ〜４Ｃの端部と対向配置される対向面部３Ｂとが備えられる。各外側面部３Ａ並びに対向面部３Ｂには折り返し線部８を介して重合片部９が備えられ、紙製面材５より型抜きされる各支持部材３の構成材は、次に折り返し線部８の部分が山折りにされ、折り返された各重合片部９が各面部３Ａ、３Ｂに対してのり付けされる。この結果、各面部３Ａ、３Ｂの側辺部が重合片部により肉厚となり、その部分の強度が補強されることとなる。また頂線部７の部分が山折りされる状態において、各重合片部９の頂線部７側の端部同士が相互に干渉し、図１に示すように各支持部材３を載置面２に立設する場合において、支持部材３を載置面上で正面逆Ｖ字形状となるようにすることが可能となる。
【００３０】
ここで各支持部材３の構成材は、立設状態での高さ方向に略対応する外側面部３Ａの長さＬ１と対向面部３Ｂの長さＬ２を異なる長さとし、長さＬ２を長さＬ１に対して若干短くなるように設定している（図７参照）。これは、後述するように被飛越し部材４Ａ〜４Ｃの端部に対向面部３Ｂが対向される状態において、対向面部３Ｂが載置面２に対し、略垂直に立上がるように設定するためである。
【００３１】
各支持部材３の構成材は、さらに外側面部３Ａ並びに対向面部３Ｂにおける頂線部７に対する対向辺部において、各端部に切込み１０が予め形成される（図７参照）。また対向面部３Ｂにおいては、図３に示す支持部材３の立設状態において、上下方向に切り欠かれる溝状の被係合部１１が予め形成される。この溝状に切り欠いて形成される被係合部１１は、頂線部７から対向辺部の近部側まで延設して形成され、各支持部材３が図３に示すように立設される状態において、その最下部が載置面２よりも幾分上方に位置されるよう予め紙製面材５において形成されることとなる。
【００３２】
頂線部７の部分を山折りにされ、載置面２上で正面逆Ｖ字形状となるように立設される支持部材３には、その底部において一対の紙製の脚体１２が取り付けられることとなる。  
【００３３】
この脚体１２についても予め図５に示されるように、段ボール材などの平板状の紙製面材１３に展開状態で描象されてなり、これを型抜きして組立形成される。図５において、脚体１２の構成材は４つ描象されてなり、各構成材はその輪郭外形部分に予め切り取り線１４としてのミシン目が穿設され、紙製面材１３より型抜き可能となる。
【００３４】
紙製面材１３より型抜きされる各脚体１２の構成材は、先ず中心線１５の部分に沿って折り込まれる。折り込まれた構成材の内側面にはのりが塗布されて重合・貼着され、この結果、肉厚の紙材からなる略台形の面材からなる４つの脚体１２が形成可能となる。各脚体１２には、略台形をなす脚体１２の上底辺から下底側へと延びて形成され、図２に示す載置面２に対する支持状態において、その最下部が載置面２よりも幾分上方に位置される切込み１６が予め一対形成される（図５参照）。
【００３５】
載置面２上において正面逆Ｖ字形状をなす状態で立設される支持部材３は、頂線部７を基準にそれぞれ載置面２に向けて下方に拡開し、対向面部３Ｂを備えた一片側と、外側面部３Ａを備えた他片側の各側間の間隔Ｗ１（図３参照）を一定間隔に保持して支持部材３を載置面２に立設状態で載置可能とするための脚体１２が図２に示すように取着される。
【００３６】
脚体１２の取着は相互に対峙する対向面部３Ｂ側の切込み１０と外部面部３Ａ側の切込み１０を、脚体１２の上底に備えられる各切込み１６とを対応させ、図２に示すように対向する切込み１０に対し、切込み１６を矢印方向に挿着して咬み合わせることにより行われる。この結果、正面逆Ｖ字形状をなす支持部材３はその奥行き方向で一対の脚体１２がその底部に取着されることとなり、両面部３Ａ、３Ｂが間隔Ｗ１をおいて離隔される状態で載置面２に立設載置されることとなる。
【００３７】
一方、一対の支持部材３に対してその左右の各端部を支持される被飛越し部材４Ａ、４Ｂ、４Ｃは（図１参照）、前記支持部材３と同様に全体平板状の紙製の面材を折り込んで形成され、各被飛越し部材４Ａ、４Ｂ、４Ｃは正面長方形状の紙製のボード材とされる。各被飛越し部材４Ａ〜４Ｃは、載置面２において一定幅で離隔し、各対向面部３Ｂを対峙させて立設される一対の支持部材３に対して取着され、該取着は各支持部材３の対向面部３Ｂに備えられる溝状の被係合部１１に上方より被飛越し部材４Ｃ→４Ｂ→４Ｃの順に各被飛越し部材４Ａ〜４Ｃの左右各端部を対応する溝状の被係合部１１に挿入することにより行われる。この結果、長方形状の紙製面材からなる各飛越し部材４Ａ〜４Ｃは、その面材面部の各端部が被係合部に係合される状態で一対の支持部材３に支持されることとなる。この状態で被飛越し部材４Ａ〜４Ｃの面材面部は、支持部材３の対向面部３Ｂに対して交差状態となる。
【００３８】
ここで被飛越し部材４Ａ〜４Ｃについても、予め図６に示されるように段ボール材などの平板状の紙製面材１７に展開状態で描象されてなり、これを型抜きして組立形成される。図６において、被飛越し部材の構成材は、４Ａ、４Ｂ、４Ｃに関するものの他、４Ａ、４Ｂのスペアとしての４Ｄに関するものの４つ描象されてなり、各構成材はその輪郭外形部分に予め切り取り線１８としてのミシン目が穿設され、紙製面材１７より型抜き可能とされる。また隣接状態で紙製面材１７に描象される４つの被飛越し部材４Ａ〜４Ｄ間についても予め切り取り線１８としてのミシン目が穿設され、各被飛越し部材４Ａ〜４Ｄ同士を分離可能としている。
【００３９】
紙製面材１７より型抜きされる図６に示される各被飛越し部材４Ａ〜４Ｄの構成材は、頂線部１９の部分で山折りにされ、折り込まれた内面同士を接着剤を用いて貼着される。この結果、肉厚な横長長方形状からなる各被飛越部材４Ａ〜４Ｄが組立形成されることとなる。ここで被飛越し部材４Ｃに対し、その上方に被係合部１１内において積載可能とされる被飛越し部材４Ａと４Ｂ、並びにスペアとしての被飛越し部材４Ｄは、組立形成状態において略同等、同サイズのものとされる。
【００４０】
一方、被係合部１１の最下部に配置して挿入される被飛越し部材４Ｃの各端部には、係合部としての切込部２０が紙材を切欠いて予め形成される。すなわち図６に示す展開状態において、予め紙製面材１７に切込部２０を形成するための、切込部２０の構成部が備えられ、この部分は被飛越し部材４Ｃの型抜時において切除することで形成される。
【００４１】
すなわち、こうして組立形成される被飛越し部材４Ｃは、両端部下方において、その下方から上方へと延びる切込み状の切込部２０が備えられることとなり、この被飛越し部材４Ｃは図３に示すように一対の支持部材３における溝状の被係合部１１に上方から左右各端部を挿入し、被係合部１１内において最下段に位置決めされることとなる。この際、係合部としての切込部２０が、被係合部１１の最下部と咬み合うように掛着されることとなり、これにより被飛越し部材４Ｃの左右の各端部が対応する支持部材３に支持され、一対の支持部材３間の幅Ｗ２（図１）が一定幅に保持されることとなる。
【００４２】
一方、溝状の被係合部１１において被飛越し部材４Ｃの上方に配設される各被飛越し部材４Ａ、４Ｂは、図４に示すように被係合部１１内に順次挿入され、積載される。このため溝状の被係合部１１の溝幅は、被飛越し部材４Ａ〜４Ｄの厚みと同様とされる。
【００４３】
こうして図１に示すようにして形成され、組立てられるハードル１は、幅Ｗ２がアジリティ競技の規格に対応する１２０ｃｍとされる。また載置面２に対する高さＨ１については、小型犬競技と大型犬競技に対応して、被飛越し部材４Ｃの上方に積載する被飛越し部材４Ａ、４Ｂの積載枚数を選択し、その高さＨ１を調整することが可能となる。ここで実施形態では、合計３枚の被飛越し部材４Ａ〜４Ｃを各支持部材３の被係合部１１内に挿入し、積載させるようにしている。被飛越し部材に関しては２枚の紙製面材として高さ調整してもよく、また４枚以上の複数枚として高さ調整するようにしてもよい。
【００４４】
こうして形成されるハードル１は、被係合部１１から各被飛越し部材４Ａ〜４Ｃを挿入解除し、さらに支持部材３において脚体１２を取外して支持部材３の外側面部３Ａと対向面部３Ｂとを接するように折り畳むことが可能となる。すなわち、各被飛越し部材４Ａ〜４Ｃ、支持部材３、並びに脚体１２のそれぞれは分解状態において、全体扁平な平板状となり、例えば車の荷台等にスーペースをとることなく容易に積載することができる。また保管庫などにおいて保管する場合においてもスペースをとることもない。
【００４５】
このように実施形態に係るハードル１の構成部材はいずれも紙製で嵩ばることもなく、軽量で取扱い性に優れ、前記のように簡単に組立てることができ、また分解も容易に行える。特に持ち運びや収納が簡単に行えるため、自動車の荷台に積載して、どこでもアジリティの訓練が簡単に行える利点がある。
【００４６】
また、構成部材としての支持部材３、被飛越し部材４Ａ〜４Ｃ、脚体１２ののそれぞれがいずれも紙製とされ、使用後は再生紙として利用したり、可燃ゴミとして処分でき、環境面においても利点を有する。特に犬はこうした構成部材をかじることがあり、この場合実施形態の構成部材はいずれも紙製で無害なため、犬にとっても安全である。また実施形態では、犬と干渉して最もこわれ易い最上の被飛越し部材４Ａと同サイズからなるスペアの被飛越し部材４Ｄが一枚の紙製面材１７から組立形成することができる利点もある。
【００４７】
また前記のように被係合部１１に対する被飛越し部材４Ａ、４Ｂの挿入・積載枚数を選択することで、ハードル１の高さ調整を可能にすることもできる。
【００４８】
またペットショップなどにおいて、型抜きされた各構成材（扁平状の支持部材３、被飛越し部材４Ａ〜４Ｄ、支持体１２）をビニール袋に収納して販売することで、展示スペースや収納スペースをとることもない。
【００４９】
また図５ないし図７に示される各紙製面材５，１３，１７を袋や函に収納し、キットとして販売してもよく、購入者が各構成材を組立形成できるようにしてもよい。
【実施例】
【００５０】
「第１実施例」
図８および図９は、本発明の第１実施例に係る。前記図１ないし図７に示す実施形態に係るハードル１では、犬が飛び越すための被飛越し部材４Ａ〜４Ｃを横長長方形状の３つのものとし、最下段に配設される被飛越し部材４Ｃ上への、被飛越し部材４Ａ、４Ｂの積載枚数を選択することにより、その高さＨ１を調整可能にしている。
【００５１】
一方、第１実施例に係るハードル２１は、支持部材３の形態については前記実施形態と同様であるものの、対向面部３Ｂに形成される被係合部１１に対してその左右端部を挿入する被飛越し部材に関し、図８に示すように予め複数枚異なる高さのものを用意するようにしている。すなわち、各被飛越し部材２２Ａないし２２Ｃは、部材２２Ａが高さＨ２、部材２２Ｂが高さＨ３，部材２２Ｃが高さＨ４となるように予め異なる高さを有する正面長方形状からなる一枚の紙製ボードとされる。各被飛越し部材２２Ａ〜２２Ｃの左右の各端部には、前記実施形態に係る最下段に配設される被飛越し部材４Ｃと同様に、左右両端部下方において、その下方から上方へと延びる切込み状の切込部２３（係合部）が予め形成される。
【００５２】
異なる高さＨ２〜Ｈ４からなる各一枚の被飛越し部材２２Ａ〜２２Ｃのそれぞれは、左右の各端部を垂直方向に延び被係合部１１に選択的に挿入し、対応する切込部２３を被係合部１１の最下部と咬み合うように掛着し、係合させることができる。これによりハードル２１において載置面２に対して様々な高さを有する被飛越し部材２２Ａ〜２２Ｃを支持部材３間に配設することが可能となる。
【００５３】
さらに被飛越し部材のうち、部材２２Ｃの面材面部には、半円状に切欠いた孔部２４が予め形成される。この孔部２４は、図９に示す支持状態で明らかなようにアジリティにおける犬の障害物としてのトンネルとして使用することが可能とされる。形成される孔部としては、この他にも被飛越し部材の面材面部に丸孔状に穿設してもよく、その形状についても様々な形のものを採用できる。本第１実施例によれば、被係合部１１に対して高さの異なる様々な被係合部材２２Ａ〜２２Ｃを選択挿入して係合させ、ハードルの高さ調整を行うことができる他、孔部２４の存在によりハードルの用途性をより高めることが可能となる。その他の構成および作用は前記実施形態と同様であり、説明を省略する。
【００５４】
「第２実施例」
図１０および図１１は、本発明の第２実施例に係り、前記実施形態並びに第１実施例と異なる態様の被飛越し部材を前記実施形態と同様の支持部材３に支持させ、使用させるハードル３１に係る。このため支持部材３の構成等については、前記実施形態と同様につき、説明を省略する。
【００５５】
このハードル３１において用いられる被飛越し部材３２は、上下に離隔配置され、それぞれ横長長方形状とされ、全体平板状の紙製面材を型抜きして形成される上下の紙製ボードを備える。下方に配置され、左右の各端部を溝状の被係合部１１の最下方に挿入される紙製ボードは、左右両端部下方において、その下方から上方へ延びる切込み状の切込部３３（係合部）が予め形成され、被係合部１１の最下方に固定状態で係合される固定ボード３２Ａとされる。
【００５６】
一方、固定ボード３２Ａの上方に、固定ボード３２と平行状態で配置され、左右の各端部を溝状の被係合部１１の上方に挿入される紙製ボードは、固定ボード３２Ａに対して上下に、可動に高さ調整可能な可動ボード３２Ｂとされる。
【００５７】
固定ボード３２Ａと可動ボード３２Ｂは、正面Ｘ形状をなすリンク部材３４で連結される。すなわち可動ボード３２Ｂの面材面部には、リンク部材３４
の各リンク片３４Ａ、３４Ｂの上端側をピン結合する各長孔３５が備えられ、一方固定ボード３２Ａの面材面部には、リンク部材３４の各リンク片３４Ａ、３４Ｂの下端側をピン結合する各長孔３６が形成される。リンク部材３４は両リンク片３４Ａ、３４Ｂの中心長さ位置を相互に軸支され、軸支部分を中心に各片の端部を回動可能に連結している。
【００５８】
固定ボード３２Ａに形成される各長孔３６には、その下側に、リンク片３４Ａ、３４Ｂの下端側のピンを位置決めするための係合凹部３７Ａ、３７Ｂ、３７Ｃが、長さ方向において３ヶ所備えられる（図１１参照）。各リンク片３４Ａ、３４Ｂの下端側のピンは、それぞれ外側の係合凹部３７Ａ、中間の係合凹部３７Ｂ、内側の係合凹部３７Ｃと順次長孔３６に沿ってスライドさせて位置決めされることで、各リンク片３４Ａ、３４Ｂの上端側のピン結合部分が長孔３５に沿ってスライドされ、これにより固定ボード３２Ａに対して離隔配置される可動ボード３２Ｂを順次上方に高さ調整することが可能となる。
【００５９】
すなわち、被飛越し部材３２は、固定ボード３２Ａの左右各端部をそれぞれ対応する支持部材３の被係合部１１に挿入し、切込部３３を被係合部１１の最下部と咬み合うように掛着して係合させることができ、一方固定ボード３２Ａに平行状態で離隔配置される可動ボード３２Ｂについても、左右各端部をそれぞれ対応する支持部材３の被係合部１１に挿入し、位置決めすることが可能となる。そしてリンク部材３４のリンク片３４Ａ、３４Ｂの下端部におけるピンの位置をそれぞれ係合凹部３７Ａ〜３７Ｃに選択的に位置決めさせることで、載置面２に対する可動ボード３２Ｂの高さ位置を調整することが可能となる。これにより小型犬、大型犬などに対応して被飛越し部材３２の高さ調整を可能にしている。その他の構成および作用については前記実施形態並びに前記第１実施例と同様につき、説明を省略する。
【００６０】
「第３実施例」
図１２および図１３は、本発明の第３実施例に係る。この実施例に係るハードル４１は、載置面２において左右に一対、立設状態で載置される全体函形の支持部材４２を備え、各支持部材４２は段ボール等からなる平板状の紙製の面材を折り込んで組立形成される。すなわち、この支持部材４２は正面から観て台形をなす状態で組立てられるものとされ、予め一枚の紙製面材を型抜きして形成される。支持部材４２の一端部には挿入舌片４３が形成される。一方支持部材４２の組立・立設状態において、後述する被飛越し部材４４の面材面部と交差する状態でその端部に対向して立上げられる対向面部４２Ａの上方には、前記挿入舌片４３を挿入し、これを係止する係入孔４５が予め形成される。支持部材４２は図１２に示すように展開状態において対向配置される舌片４３を係入孔４５に挿入・係合することで、図１３に示すように正面台形状に折り込んで函形に立設し、組立てられることとなり、この組立状態において対向面部４２Ａは載置面３に対して略垂直に設定されるようにしている。
【００６１】
立設状態において略垂直状態で立上がる各支持部材４２の対向面部４２Ａには、上方から下方に順次所定間隔をもって、３つの係合孔４６（被係合部）が穿設される。また３つの係合孔４６のさらに下方位置には、丸孔４７が穿設される。
【００６２】
対向面部４２Ａ同士を対峙させ、載置面２において一定間隔をもって離隔される一対の支持部材４２間には、横長長方形状の紙製ボードからなり、平板状の紙製面材を型抜きして形成される被飛越し部材４４が配置される。すなわち、支持部材４２は被飛越し部材４４の左右において立設され、被飛越し部材４４の対応する端部を対応する支持部材４２に支持させて組立てられる。被飛越し部材４４の左右の各端部には、鉤状の係合部４８が備えられ、被飛越し部材４４は、該係合部４８を対向面部４２Ａに備えられる上下の係合孔４６に選択的に掛着・係合することにより、載置面２に対する被飛越し部材４４の高さ位置を調整可能にしている。
【００６３】
一方、各支持部材４２の対向面部４２Ａの下方に穿設される丸孔４７には、前記被飛越し部材４４と平行配置される紙製軸４９の端部が遊挿される。紙製軸４９は紙管材等で形成され、該軸４９は紙製あるいは布製からなる幕材５０が巻取り可能に備えられる。この幕材５０の引き出し端は、上方に配置される被飛越し部材４４の面材面部に貼着され、幕材５０は係合部４８を高さ方向で任意の係合孔４６に選択的に掛着・係合させる際、その引き出し、紙製軸４９に対する巻取りを自由に調整することを可能にしている。
【００６４】
すなわち幕材５０は、一対の支持部材４２間における被飛越し部材４４の下方領域を遮蔽し、障害物としての被飛越し領域を犬に視認させるためのものとされる。
【００６５】
こうして形成されるハードル４１は、前述のとおり高さ方向に配設される各係合孔４６に対する被飛越し部材４４の係合部４８の係合位置を選択することで、被飛越し部材４４の載置面２に対する高さ位置を調整可能にできる他、各支持部材４２は分解状態で一枚の扁平な平板材に折り込むことができ、スペースもとらず搬送や収納も楽に行える効果を有する。また被飛越し部材４４についても分解状態で細長い長方形状とされ、さらに幕材５０についても紙製軸４９に巻取る状態で被飛越し部材４４と一体に保持できるものとされるため、取扱性に優れている。その他の構成および作用については前記実施形態並びに第１、第２実施例と同様につき、説明を省略する。
【００６６】
さらに、実施形態、第１、第２実施例では、支持部材３を脚体１２を備えた構造のものとしているが、これに代えて第３実施例に係るような函形に組立形成される支持部材４２を採用してもよく、逆に第３実施例において脚体１２を備えた実施形態に係る支持部材３を採用してもよい。
【００６７】
以上説明したように、本発明は全体軽量で組立性に優れ、分解時において場所をとらず運搬性に優れた愛玩動物用のハードルを提供することができるという効果がある。
【図面の簡単な説明】
【００６８】
【図１】本発明の実施形態に係るハードルを示す斜視図である。
【図２】支持部材の組立状態を示す斜視図である。
【図３】支持部材に対し、被飛越し部材としての紙製ボードを取付ける状態を示す斜視図である。
【図４】図３と同様の斜視図である。
【図５】支持部材の脚材を構成する紙製面材を型抜きする前の状態に係る平板材の平面図である。
【図６】被飛越し部材としての紙製ボードを構成する紙製面材を型抜きする前の状態に係る平板材の平面図である。
【図７】支持部材を構成する紙製面材を型抜きする前の状態に係る平板材の平面図である。
【図８】第１実施例に係るハードルの組立状態を示す斜視図である。
【図９】第１実施例に係るハードルの被飛越し部材の取付けの一例を示す斜視図である。
【図１０】第２実施例に係るハードルの組立状態を示す斜視図である。
【図１１】図１０のＸＩ−ＸＩ線に係り、被飛越し部材を取付けた状態を示す拡大断面図である。
【図１２】第３実施例に係るハードルの組立状態を示す斜視図である。
【図１３】図１２のＸIII−ＸIII線に係り、被飛越し部材を取付けた状態を示す拡大断面図である。
【符号の説明】
【００６９】
１，２１，３１，４１        ハードル
２                          載置面
３，４２                    支持部材
３Ａ                        外側面部
３Ｂ、４２Ａ                対向面部
４Ａ，４Ｂ，４Ｃ，４Ｄ      被飛越し部材
２２Ａ，２２Ｂ，２２Ｃ，３２，４４  
５，１３，１７              紙製面材
６，１４，１８              切り取り線
７，１９                    頂線部
８                          折り返し線部
９                          重合片部
１０，１６                  切込み
１１                        被係合部
１２                        脚体
１５                        中心線
２０，２３，３３            切込部
２４                        孔部
３２Ａ                      固定ボード
３２Ｂ                      可動ボード
３４                        リンク部材
３４Ａ，３４Ｂ              リンク片
３５，３６                  長孔
３７Ａ，３７Ｂ，３７Ｃ      係合凹部
４３                        挿入舌片
４５                        係入孔
４６                        係合孔（被係合部）
４７                        丸孔
４８                        係合部
４９                        紙製軸
５０                        幕材
【図１】
2005270027.tif 000003
【図２】
2005270027.tif 000004
【図３】
2005270027.tif 000005
【図４】
2005270027.tif 000006
【図５】
2005270027.tif 000007
【図６】
2005270027.tif 000008
【図７】
2005270027.tif 000009
【図８】
2005270027.tif 000010
【図９】
2005270027.tif 000011
【図１０】
2005270027.tif 000012
【図１１】
2005270027.tif 000013
【図１２】
2005270027.tif 000014
【図１３】
2005270027.tif 000015